(57)【要約】      （修正有）【課題】物品収容室を下部に設け、物品取出室を上部に設け、物品収容室内の物品を上方に射出して、物品を物品取出室に送り込むことができる物品取出装置を提供する。【解決手段】装置本体２は、物品収容室５０と物品射出室１２と物品取出室３０とを有する。物品収容室５０は、第１の開口１５を介して物品射出室１２と連通し、物品射出室１２は、第２の開口３１を介して物品取出室３０と連通し、物品取出室３０は、第３の開口３２を介して物品収容室５０と連通している。物品射出室１２には、弾性部材６８によって物品Ｔを上方に射出する射出部材６０が設けられ、装置本体２には、第３の開口３２を開閉する開閉部材４１と、弾性部材６８の弾性に抗して射出部材６０を反射出方向に移動させる係合部材７７が設けられている。【選択図】図２
2007015822.tif 000002
【特許請求の範囲】
【請求項１】
装置本体は、
物品収容室と、
前記物品収容室の側部に設けられた物品射出室と、
前記物品収容室の上部に設けられた物品取出室とを有し、
前記物品収容室は、第１の開口を介して前記物品射出室と連通するように形成され、
前記物品射出室は、第２の開口を介して前記物品取出室と連通するように形成されており、
前記物品射出室には、弾性部材によって付勢され、物品を物品取出室側に射出する射出部材が設けられ、
装置本体には、前記射出部材と係合し、弾性部材の弾性に抗して射出部材を反射出方向に移動させる係合部材を備えた回転体が設けられていることを特徴とする物品取出装置。
【請求項２】
前記物品取出室には、物品を取り出す取出口が形成されていることを特徴とする請求項１記載の物品取出装置。
【請求項３】
前記物品取出室は、第３の開口を介して前記物品収容室と連通するように形成されていることを特徴とする請求項１又２記載の物品取出装置。
【請求項４】
前記装置本体には、前記第３の開口を開閉する開閉部材が設けられていることを特徴とする請求項３記載の物品取出装置。
【請求項５】
前記物品収容室には、物品収容室の物品を前記物品射出室内に案内する案内路が形成されていることを特徴とする請求項１乃至４のいずれか１項に記載の物品取出装置。
【請求項６】
前記物品収容室には、前記係合部材と係合して揺動し、物品を案内路に整列させて第１の開口の詰まりを防止する揺動部材が設けられていることを特徴とする請求項５記載の物品取出装置。
【請求項７】
前記射出部材は、前記係合部材と係合する係合片が形成され、
さらに射出部材には、係合片が物品射出室に当接して破損することを防止する緩衝部材が設けられていることを特徴とする請求項１乃至６のいずれか１項に記載の物品取出装置。
【請求項８】
前記回転体は、車輪であって、装置本体の下面から突出して設けられていることを特徴とする請求項１乃至７のいずれか１項に記載の物品取出装置。
【発明の詳細な説明】
【技術分野】
【０００１】
本発明は、装置本体内に収容された、タブレット、キャンディ等の物品を内部で循環させることができ、且つ装置本体内に収容された物品を取り出すことができる物品取出装置に関する。
【背景技術】
【０００２】
従来の物品取出装置は、上部に物品収容室が設けられ、下部に物品取出室が設けられている。物品収容室と物品取出室は、供給口によって連通している。物品収容室内の物品は、自重により、供給口を経て物品取出室に落下させる。物品取出室をスライドさせると、シャッターが供給口を閉じて、供給口から物品が落下しないようにする共に、物品取出室に形成された開口から物品を取り出すことができるようになっている（例えば、特許文献１）。
【特許文献１】特開２００５−１５００７号公報
【発明の開示】
【発明が解決しようとする課題】
【０００３】
上記従来の物品取出装置は、物品収容室内の物品を自重により物品取出室に落下させるものであるが、物品収容室を下部に設け、物品取出室を上部に設け、物品収容室内の物品を上方に射出して、物品を物品取出室に送り込むことはできないという問題点があった。また、上記従来の物品取出装置は、物品を物品収容室から物品取出室に移動させることができるが、物品を装置本体内で循環させることはできないという問題点があった。
【０００４】
本願発明は、上記問題点に鑑み案出したものであって、物品収容室を下部に設け、物品取出室を上部に設け、物品収容室内の物品を上方に射出して、物品を物品取出室に送り込むことができる物品取出装置を提供することを目的とする。また、本願発明は、物品を装置本体内で循環させることができる物品取出装置を提供することを目的とする。
【課題を解決するための手段】
【０００５】
本願請求項１に係る物品取出装置は、上記目的を達成するため、装置本体は、物品収容室と、前記物品収容室の側部に設けられた物品射出室と、前記物品収容室の上部に設けられた物品取出室とを有し、前記物品収容室は、第１の開口を介して前記物品射出室と連通するように形成され、前記物品射出室は、第２の開口を介して前記物品取出室と連通するように形成されており、前記物品射出室には、弾性部材によって付勢され、物品を物品取出室側に射出する射出部材が設けられ、装置本体には、前記射出部材と係合し、弾性部材の弾性に抗して射出部材を反射出方向に移動させる係合部材を備えた回転体が設けられている。
【０００６】
本願請求項２に係る物品取出装置は、上記目的を達成するため、前記物品取出室には、物品を取り出す取出口が形成されている。
【０００７】
本願請求項３に係る物品取出装置は、上記目的を達成するため、前記物品取出室は、第３の開口を介して前記物品収容室と連通するように形成されている。
【０００８】
本願請求項４に係る物品取出装置は、上記目的を達成するため、前記装置本体には、前記第３の開口を開閉する開閉部材が設けられている。
【０００９】
本願請求項５に係る物品取出装置は、上記目的を達成するため、前記物品収容室には、
物品収容室の物品を前記物品射出室内に案内する案内路が形成されている。
【００１０】
本願請求項６に係る物品取出装置は、上記目的を達成するため、前記物品収容室には、前記係合部材と係合して揺動し、物品を案内路に整列させて第１の開口の詰まりを防止する揺動部材が設けられている。
【００１１】
本願請求項７に係る物品取出装置は、上記目的を達成するため、前記射出部材は、前記係合部材と係合する係合片が形成され、さらに射出部材には、係合片が物品射出室に当接して破損することを防止する緩衝部材が設けられている。
【００１２】
本願請求項８に係る物品取出装置は、上記目的を達成するため、前記回転体は、車輪であって、装置本体の下面から突出して設けられている。
【発明の効果】
【００１３】
本願発明に係る物品取出装置は、初期状態において、物品収容室内に収容された物品が第１の開口を介して物品射出室内に移動している。回転体を回転させると係合部材も回転し、係合部材が射出部材と係合して、射出部材を弾性部材の弾性に抗して反射出方向に移動させ、係合部材が射出部材から外れると、射出部材が弾性部材の弾性により付勢されて移動し、物品射出室内の物品を物品取出室側に射出する。射出された物品は、第２の開口を介して物品取出室内に移動する。本願発明は、上記したように、下部に設けられた物品収容室内の物品を、上部に設けられた物品取出室に射出して送り込むことができる、従来にない新規な構造で、興趣ある物品の動きをさせることができる物品取出装置を提供することができるという効果がある。
【００１４】
本願発明に係る物品取出装置は、物品取出室に物品を取り出す取出口が形成されているので、射出して物品取出室に送り込まれた物品を取り出すことができるという効果がある。
【００１５】
本願発明に係る物品取出装置は、物品取出室が、第３の開口を介して物品収容室と連通するように形成されているので、物品収容室から物品射出室、物品射出室から物品取出室、物品取出室から物品収容室へと、物品が移動することができ、物品を装置本体内で循環させることができるという効果がある。
【００１６】
本願発明に係る物品取出装置は、装置本体に、前記第３の開口を開閉する開閉部材が設けられているので、開閉部材により第３の開口を開くと物品が装置本体内で循環し、開閉部材により第３の開口を閉じると物品が物品取出室内で堰き止められ、取出口から物品を取り出すことができるという効果がある。
【００１７】
本願発明に係る物品取出装置は、物品収容室に、物品収容室の物品を物品射出室内に案内する案内路が形成されているので、物品射出室内に物品を確実に案内することができるという効果がある。
【００１８】
本願発明に係る物品取出装置は、物品収容室に、前記係合部材と係合して揺動する揺動部材が設けられているので、揺動部材により物品を案内路に整列させて第１の開口の詰まりを防止することができるという効果がある。
【００１９】
本願発明に係る物品取出装置は、射出部材に、係合部材と係合する係合片が形成され、さらに緩衝部材が設けられているので、係合片が緩衝部材によって物品射出室に当接することがなく、従って係合片又は物品射出室の破損を防止することができるという効果がある。
【００２０】
本願発明に係る物品取出装置は、回転体が車輪であって、装置本体の下面から突出して設けられているので、走行玩具として利用することができ、走行中に、物品を移動させることができるという効果がある。
【発明を実施するための最良の形態】
【００２１】
本願発明に係る物品取出装置の実施の形態を図１乃至図７に基づいて説明する。図１は、本願発明に係る物品取出装置の第１の実施の形態を説明する全体図であって、（ａ）は平面図、（ｂ）は側面図、（ｃ）は底面図、（ｄ）は背面図である。図２は、図１の物品取出装置の断面図であって、（ａ）は平面断面図、（ｂ）は側面断面図、（ｃ）は正面断面図である。図３は、図１の物品取出装置の動きを説明する断面図であって、（ａ）（ｂ）は側面断面図、（ｃ）は正面断面図である。図４は、図１の物品取出装置の動きを説明する断面図であって、（ａ）（ｂ）は側面断面図、（ｃ）は正面断面図である。図５は、本願発明に係る物品取出装置の第２の実施の形態を説明する全体図であって、（ａ）は平面図、（ｂ）は側面図、（ｃ）は底面図、（ｄ）は背面図である。図６は、図５の物品取出装置の断面図であって、（ａ）は平面断面図、（ｂ）は側面断面図、（ｃ）は正面断面図である。図７は、図５の物品取出装置の動きを説明する側面断面図である。
【００２２】
物品取出装置１，１０１の装置本体２，１０２は、物品収容室５０，１５０と、前記物品収容室５０，１５０の側部に設けられた物品射出室１２，１１２と、前記物品収容室５０，１５０の上部に設けられた物品取出室３０，１３０とを有する。前記物品収容室５０，１５０は、第１の開口１５，１１５を介して前記物品射出室１２，１１２と連通するように形成されている。前記物品射出室１２，１１２は、第２の開口３１，１３１を介して前記物品取出室３０，１３０と連通するように形成されている。前記物品射出室１２，１１２には、弾性部材６８，１６８によって付勢され、物品Ｔを物品取出室３０，１３０側に射出する射出部材６０が設けられている。装置本体２，１０２には、前記射出部材６０と係合し、弾性部材６８，１６８の弾性に抗して射出部材６０を反射出方向に移動させる係合部材７７を備えた回転体７５が設けられている。
【００２３】
前記物品取出室３０，１３０には、物品Ｔを取り出す取出口４８，１４８が形成されている。前記物品取出室３０，１３０は、第３の開口３２，１３２を介して前記物品収容室５０，１５０と連通するように形成されている。前記装置本体２，１０２には、前記第３の開口３２，１３２を開閉する開閉部材４１，１４１が設けられている。前記物品収容室５０，１５０には、物品収容室５０，１５０の物品Ｔを前記物品射出室１２，１１２内に案内する案内路９９，１９９が形成されている。
【００２４】
前記物品収容室５０，１５０には、前記係合部材７７と係合して揺動し、物品Ｔを案内路９９，１９９に整列させて第１の開口１５，１１５の詰まりを防止する揺動部材９４，１９４が設けられている。前記射出部材６０は、前記係合部材７７と係合する係合片６３が形成されている。さらに射出部材６０には、係合片６３が物品射出室１２，１１２に当接して破損することを防止する緩衝部材６６が設けられている。前記回転体７５は、車輪であって、装置本体２，１０２の下面から突出して設けられている。
【００２５】
物品取出装置の第１の実施の形態について詳細に説明する。図１乃至図４に示すように、物品取出装置１は、装置本体２がヘリコプター玩具形状に形成されている。装置本体２は、合成樹脂で形成され、下部胴体部３と、上部胴体部５とで構成されている。下部胴体部３は、左下胴体部３ａと右下胴体部３ｂとからなり、左下胴体部３ａと右下胴体部３ｂが重ね合わされて、ネジ、接着剤、係止爪等により一体的に連結固定されている。上部胴体部５は、左上胴体部５ａと右上胴体部５ｂとからなり、左上胴体部５ａと右上胴体部５ｂが重ね合わされて、ネジ、接着剤、係止爪等により一体的に連結固定されている。
【００２６】
上部胴体部５は、射出管１１と、射出管１１の上端に設けられた物品取出容器２１とからなる。射出管１１は、筒状に形成され、内部に物品射出室１２が形成されている。射出管１１は、上部に環状のフランジ１３が形成され、下部後方に下部開口（第１の開口）１５が設けられている。また、射出管１１は、下部開口（第１の開口）１５の上部近傍に、突片１６が突設されている。
【００２７】
物品取出容器２１は、底壁２２と、上壁２３と、前壁２５と、後壁２６と、右壁２７と、左壁２９とで構成されている。前壁２５は、底壁２２の前端と上壁２３の前端に連接され、緩やかに湾曲している。後壁２６は、底壁２２の後端と上壁２３の後端に連接され、緩やかに湾曲している。右壁２７は、底壁２２の右端と、上壁２３の右端と、前壁２５の右端と、後壁２６の右端に連接されている。左壁２９は、底壁２２の左端と、上壁２３の左端と、前壁２５の左端と、後壁２６の左端に連接されている。
【００２８】
物品取出容器２１は、底壁２２と、上壁２３と、前壁２５と、後壁２６と、右壁２７と、左壁２９とによって物品取出室３０が形成される。底壁２２の前部には、上部開口（第２の開口）３１が形成されている、また、底壁２２の前部下面には、射出管１１の上端が接続され、上部開口（第２の開口）３１と物品射出室１２が連通している。なお、物品取出容器２１と射出管１１は、一体成形で形成されているが、別々に成形した後、接着剤等によって連結しても構わない。
【００２９】
前記底壁２２の後部には、中間開口（第３の開口）３２が形成されている。また、底壁２２の下面後部には、左右方向に伸びる板部材３３と、板部材３３の前端及び後端に設けられた脚板３５とで略コ字状に形成されたガイド部材３６が設けられている。板部材３３は、前記中間開口（第３の開口）３２と対向する位置に、中間開口（第３の開口）３２と略同形状の落下開口３７が形成されている。このガイド部材３６には、開閉部材４１が摺動可能に取り付けられている。図４（ｃ）に示すように、開閉部材４１は、底壁２２と板部材３３の間に挿設される開閉板４２と、開閉板４２の一端に突設された掛止突起４３とからなっている。開閉板４２には、位置によって前記中間開口（第３の開口）３２と対向する通過開口４５が形成されている。通過開口４５は、中間開口（第３の開口）３２と略同形状に形成されている。
【００３０】
底壁２２は、上部開口（第２の開口）３１側から中間開口（第３の開口）３２側に向かって下降傾斜する傾斜部４６が形成されている。上壁２３には、プロペラ４９を回動可能に取り付ける取付軸４７が形成されている。後壁２６には、物品取出室３０内の物品Ｔを取り出す取出口４８が形成されている。なお、取出口４８には、図示しない蓋部材を設けても構わない。
【００３１】
上部胴体部５は、左下胴体部３ａと右下胴体部３ｂとに挟み込まれ、さらに射出管１１が下部胴体部３内に収納されるようにして、下部胴体部３に取り付けられている。射出管１１は、フランジ１３が下部胴体部３の係止凹部６９に係止され、下部胴体部３に位置決め固定される。下部胴体部３は、底壁５２と、上壁５３と、前壁５５と、後壁５６と、右壁５７と、左壁５９とによって構成され、内部に物品収容室５０が形成される。上壁５３の後部には、切り欠き部５８ａが形成され、当該切り欠き部５８ａ内に前記ガイド部材３６が挿設されている。従って、前記物品取出室３０は、中間開口（第３の開口）３２を介して、前記物品収容室５０と連通可能となっている。
【００３２】
前記底壁５２の上面前部には、弾性部材６８が取り付けられている。本実施の形態では、弾性部材６８は、バネ部材である。即ち、前記底壁５２の上面前部には、取付突起６７が形成され、取付突起６７には、バネ部材６８の下部が巻き付けられて固定されている。
バネ部材（弾性部材）６８は、射出部材６０内に嵌挿されている。
【００３３】
射出部材６０は、筒状の胴部６１と、胴部６１の上端に形成された円形の射出板６２と、胴部６１の下端周縁に形成された係合爪（係合片）６３とからなる。係合爪（係合片）６３は、上方に向かって外径が広がるように傾斜した傾斜面６４と、傾斜面６４の上端に略水平に形成された係合面６５とを有する。また、胴部６１には、係合爪（係合片）６３に当接するようにして、環状の緩衝部材６６が取り付けられている。緩衝部材６６は、ウレタン、ゴム、スポンジ、バネ等によって形成され、特に限定されるものではない。
【００３４】
射出部材６０は、射出管１１の物品射出室１２内に摺動可能に挿設され、バネ部材６８によって上方に付勢され、緩衝部材６５が射出管１１の下端に当接している。係る状態が初期状態であって、胴部６１が下部開口（第１の開口）１５を若干塞ぎ、下部開口（第１の開口）１５から物品Ｔが物品射出室１２内に入り込むのを阻止している。
【００３５】
前記右壁５７の下部には、軸受け穴７１が形成されたボス７２が形成されている。また、前記左壁５９の下部には、軸受け穴７３が形成されたボス７４が形成されている。軸受け穴７１と軸受け穴７３は、対向して設けられている。軸受け穴７１，７３には、一対の車輪（回転体）７５，７５が固定された車軸７６が回動可能に取り付けられている。一対の車輪（回転体）７５，７５は、物品収容室５０の底壁５２に形成された切り欠き５８を挿通して、底壁５２の下面から突出している。
【００３６】
又、車軸７６であって、一対の車輪（回転体）７５，７５間には、係合爪（係合部材）７７を備えた円形のカム７８が固定して取り付けられている。係合爪（係合部材）７７は、直径方向に伸びる係合面７９と、係合面７９の先端からカム７８周面に伸びる傾斜面８０とを有する。係合面７９は、一対の車輪（回転体）７５，７５が前方方向（図３の時計方向）に回転する時、射出部材６０の係合爪（係合片）６３の係合面６５と係合する。傾斜面８０は、一対の車輪（回転体）７５，７５が後方方向（図３の反時計方向）に回転する時、射出部材６０の係合爪（係合片）６３の傾斜面６４と摺接する。
【００３７】
前記右壁５７の上部には、嵌合孔８１が形成されたボス８２が形成されている。また、前記左壁５９の上部には、嵌合穴８３が形成されたボ８４が形成されている。嵌合穴８１と嵌合穴８３は、対向して設けられている。嵌合穴８１には、案内部材８５が取り付けられている。案内部材８５は、右壁５７の上部から物品収容室５０の中心に向かって下降傾斜する傾斜案内面８６と、傾斜案内面８６の下端に連設された垂直案内面８７と、垂直案内面８７の裏面側に設けられた嵌合軸８９とからなる。案内部材８５は、嵌合軸８９を嵌合孔８１に嵌合することによって、右壁５７に当接して取り付けられている。傾斜案内面８６は、後方に向かって下降傾斜している。
【００３８】
嵌合穴８３には、案内部材９０が取り付けられている。案内部材９０は、左壁５９の上部から物品収容室５０の中心に向かって下降傾斜する傾斜案内面９１と、傾斜案内面９１の下端に連設された垂直案内面９２と、垂直案内面９２の裏面側に設けられた嵌合軸９３とからなる。案内部材９０は、嵌合軸９３を嵌合孔８３に嵌合することによって、左壁５９に当接して取り付けられている。傾斜案内面９１は、後方に向かって下降傾斜している。
【００３９】
前記案内部材８５の垂直案内面８７と前記案内部材９０の垂直案内面９２の間には、射出管１１の下部開口（第１の開口）１５に向かって下降傾斜するガイド板９５が設けられている。ガイド板９５の下面略中央には、これと略直角の係合板９６が設けられている。また、ガイド板９５の下面であって、係合板９６の接続部近傍には、左右方向に伸びる軸受け孔９７が形成されている。このガイド板９５と係合板９６によって、揺動部材９４が
構成される。
【００４０】
ガイド板９５は、前記垂直案内面８７と前記垂直案内面９２に設けられた支軸９８が軸受け孔９７に挿入されて、案内部材８５，９０に回動可能に取り付けられている。ガイド板９５は、自重により反時計方向へ回転しようとするが、係合板９６がカム７８に当接しており、反時計方向の回転が阻止されている。当該ガイド板９５の上面と前記垂直案内面８７及び前記垂直案内面９２によって、物品Ｔを射出管１１の下部開口（第１の開口）１５に案内する案内路９９が形成される。
【００４１】
下部胴体部３の後壁５６には、収納口５４が形成されている。当該収納口５４は、後壁５６に回動可能に取り付けられた蓋部材５１によって開閉するようになっている。蓋部材５１は、下部が枢軸５１ａによって枢支され、上部に形成された係止凹部５１ｂが収納口５４の上縁に係脱可能に係止されるようになっている。下部胴体部３の前壁５５には、飛行機玩具のフロント部６が取り付けられ、下部胴体部３の上壁５３後部には、垂直尾翼７と水平尾翼８が取り付けられている。
【００４２】
物品取出装置１は、上記構成を有し、以下のように使用することができる。蓋部材５１を後方（反時計方向）に回動して、収納口５４を開き、収納口５４から物品収容室５０内に複数の物品Ｔを収納する。蓋部材５１を前方（時計方向）に回動して、収納口５４を閉じる。なお、物品Ｔは、キャンディ、ガム、チョコレート、錠剤、小球玩具等の小さめの固形物であれば良く、特に種類が限定されるものではない。また、図３に示すように、開閉部材４１は、押し込められており、物品取出室３０の中間開口（第３の開口）３２と開閉板４２の通過開口４５が対向しており、物品Ｔが中間開口（第３の開口）３２、通過開口４５、落下開口３７を通過することができる。
【００４３】
物品Ｔは、案内部材８５，９０の傾斜案内面８６，９１によって、案内路９９側に移動させられ、さらに案内路９９に沿って前方に移動し、下部開口（第１の開口）１５から射出管１１内に１個入るようになっている。なお、射出管１１は、内径が物品Ｔよりも僅かに大きく形成されており、内部に物品Ｔが１個しか入らないようになっている。また、物品取出装置１は、図３（ｂ）に示すように、初期状態では、バネ部材６８によって射出部材６０が上方に付勢され、緩衝部材６６が射出管１１の下端に当接している。また、下部開口（第１の開口）１５が、バネ部材６８によって上方に付勢された射出部材６０の胴部６１によって若干塞がれており、初期状態では、射出管１１内に物品Ｔが入らないようになっている。
【００４４】
一対の車輪（回転体）７５，７５を接地させて、物品取出装置１を前方に移動させると、一対の車輪（回転体）７５，７５が前方（時計回転方向）に回転し、車軸７６を介してカム７８も前方（時計回転方向）に回転する。カム７８に設けられた係合爪（係合部材）７７の係合面７９が射出部材６０に設けられた係合爪（係合片）６３の係合面６５に係合し、射出部材６０は、バネ部材６８の弾性に抗して下方に押し下げられる。射出部材６０が下方に押し下げられると、下部開口（第１の開口）１５が完全に開放され、物品Ｔが下部開口（第１の開口）１５を経て、射出管１１内に入り、射出部材６０の射出板６２上に載置される。
【００４５】
さらに、一対の車輪（回転体）７５，７５が前方（時計回転方向）に回転すると、カム７８に設けられた係合爪（係合部材）７７の係合面７９が射出部材６０に設けられた係合爪（係合片）６３の係合面６５から外れるので、射出部材６０は、バネ部材６８の弾性により上方に押し下げられ、射出板６２上に載置されている物品Ｔを上方に射出する。射出された物品Ｔは、上部開口（第２の開口）３１を経て、物品取出室３０内に入り、前壁２５に当接して後方に案内される。
【００４６】
物品取出室３０内の後方に移動した物品Ｔは、中間開口（第３の開口）３２、通過開口４５、落下開口３７を通過して、物品収容室５０内に落下する。物品取出室３０内の後方に移動した物品Ｔは、中間開口（第３の開口）３２から上部開口（第２の開口）３１に向かって上昇傾斜する傾斜部４６によって、上部開口（第２の開口）３１側に逆戻りしないようになっている。このように、物品Ｔは、物品取出装置１の走行中、物品収容室５０から物品射出室１２、物品射出室１２から物品取出室３０、物品取出室３０から物品収容室５０と循環している。上部胴体部５は、操縦室を模した形状となっており、窓部９を透明な素材で形成すれば、物品Ｔが装置本体２内で循環している状態を視認することができる。
【００４７】
また、図３（ｂ）に示すように、物品取出装置１の走行中、カム７８の係合爪（係合部材）７７がガイド板９５の係合板９６と係合するので、ガイド板９５（揺動部材９４）は、支軸９８を中心として揺動する。ガイド板９５上には、物品Ｔが積み重なって載置されているので、いわゆる団子状態となって下部開口（第１の開口）１５のところで詰まってしまう場合がある。しかし、当該ガイド板９５（揺動部材９４）が揺動するので、物品収容室５０内の物品Ｔ全体に押上による振動を与えることになり、この団子状態が解消され、物品Ｔの詰まりを防止して、一つ一つ物品Ｔを案内路９９内で整列させてスムーズに射出管１１内に送り込むことができる。なお、射出管１１の突片１６によっても、物品Ｔの重なりを解消し、物品Ｔを整列させてスムーズに射出管１１内に送り込むことができる。
【００４８】
物品取出装置１を後方に移動させると、一対の車輪（回転体）７５，７５が後方（反時計回転方向）に回転し、車軸７６を介してカム７８も後方（反時計回転方向）に回転する。カム７８に設けられた係合爪（係合部材）７７の傾斜面８０が射出部材６０に設けられた係合爪（係合片）６３の傾斜面６４に係合し、射出部材６０が上方に押し上げられる。射出部材６０が上方に押し上げられると、射出管１１の下端と係合爪（係合片）６３の間に当接するようにして介装された緩衝部材６６が撓められ（圧縮され）、カム７８の傾斜面８０が射出部材６０の傾斜面６４から外れると、射出部材６０は、緩衝部材６６の復元力により元の初期状態に復帰する。このように、物品取出装置１は、後方に移動させると、射出部材６０の係合爪（係合片）６３と射出管１１の下端との間に介装された緩衝部材６６が撓められながら（圧縮されながら）係合爪（係合片）６３と射出管１１の下端との接触を阻止するので、係合爪（係合片）６３又は射出管１１の破損を防止することができる。
【００４９】
物品取出装置１は、図４に示すように、物品Ｔを取り出す場合、開閉部材４１を引き出せばよい。即ち、開閉部材４１の掛止突起４３を摘んで引き出すと、物品取出室３０の中間開口（第３の開口）３２と開閉板４２の通過開口４５が対向しなくなり、中間開口（第３の開口）３２が閉じられ、物品Ｔが中間開口（第３の開口）３２、通過開口４５、落下開口３７を通過することができなくなる。そのため、物品Ｔは、物品取出装置１の走行中、開閉部材４１によって循環が堰き止められて物品取出室３０内に溜められ、取出口４８を介して取り出すことができる。なお、装置本体２を透明な合成樹脂素材で形成すると、物品収納室５０内、物品射出室１２内、物品取出室３０内の物品Ｔの動きを視認することができる。
【００５０】
物品取出装置の第２の実施の形態について詳細に説明する。図５乃至７に示すように、物品取出装置１０１は、装置本体１０２が汽車玩具形状に形成されている。装置本体１０２は、合成樹脂で形成され、胴体部１０３と、煙部１０５とで構成されている。特に煙部１０５は、透明な素材で形成されている。
【００５１】
煙部１０５は、射出管１１１と、射出管１１１の上端に設けられた煙本体１２１とから
なる。射出管１１１は、筒状に形成され、内部に物品射出室１１２が形成されている。射出管１１１は、下部後方に下部開口（第１の開口）１１５が設けられている。煙本体１２１は、内部に物品取出室１３０が形成されている。煙本体１２１の前部には、上部開口（第２の開口）１３１が形成されている、また、煙本体１２１には、射出管１１１の上端が接続され、上部開口（第２の開口）１３１と物品射出室１１２が連通している。なお、煙本体１２１と射出管１１１は、一体成形で形成されているが、別々に成形した後、接着剤等によって接続しても構わない。
【００５２】
煙本体１２１の後部には、中間開口（第３の開口）１３２が形成されている。また、煙本体１２１の後部には、中間開口（第３の開口）１３２と対向する落下開口１３７を備えた略コ字状のガイド部材１３６が設けられている。落下開口１３７は、中間開口（第３の開口）１３２と略同形状に形成されている。このガイド部材１３６には、開閉部材１４１が摺動可能に取り付けられている。開閉部材１４１には、位置によって前記中間開口（第３の開口）１３２と対向する通過開口１４５が形成されている。通過開口１４５は、中間開口（第３の開口）１３２と略同形状に形成されている。
【００５３】
煙本体１２１には、物品取出室１３０内の物品Ｔを取り出す取出口１４８が形成されている。なお、取出口１４８には、図示しない蓋部材を設けても構わない。煙部１０５は、射出管１１１が胴体部１０３内に収納されるようにして、胴体部１０３の上部に取り付けられている。胴体部１０３は、内部に物品収容室１５０が形成される。物品収容室１５０の上壁１５３には、切り欠き部が形成され、当該切り欠き部内に前記ガイド部材１３６が挿設されている。従って、前記物品取出室１３０は、中間開口（第３の開口）１３２を介して、前記物品収容室１５０と連通可能となっている。物品収容室１５０の底壁１５２の上面前部には、取付突起１６７が形成され、取付突起１６７には、バネ部材１６８の下部が巻き付けられて固定されている。バネ部材（弾性部材）１６８は、射出部材６０内に嵌挿されている。射出部材６０は、前述した通りなので省略する。
【００５４】
射出部材６０は、射出管１１１の物品射出室１１２内に摺動可能に挿設され、バネ部材１６８によって上方に付勢され、緩衝部材６６が射出管１１１の下端に当接している。係る状態の時、胴部６１が下部開口（第１の開口）１１５を若干塞ぎ、下部開口（第１の開口）１１５から物品Ｔが物品射出室１１２内に入り込むのを阻止する。
【００５５】
前記物品収容室１５０の右壁１５７の下部には、軸受け穴１７１が形成されている。また、前記左壁１５９の下部には、軸受け穴１７１と対向する軸受け穴１７３が形成されている。軸受け穴１７１，１７３には、一対の車輪（回転体）７５，７５が固定された車軸７６が回動可能に取り付けられている。一対の車輪（回転体）７５，７５は、物品収容室１５０の底壁１５２に形成された切り欠き１５８を挿通して、底壁１５２の下面から突出している。
【００５６】
又、車軸７６であって、一対の車輪（回転体）７５，７５間には、カム７８が固定して取り付けられている。カム７８については、前述した通りなので説明を省略する。前記右壁１５７の上部には、案内部材１８５が取り付けられている。案内部材１８５は、右壁１５７の上部から物品収容室１５０の中心に向かって下降傾斜する傾斜案内面１８６と、傾斜案内面１８６の下端に連設された垂直案内面１８７とからなる。傾斜案内面１８６は、後方に向かって下降傾斜している。
【００５７】
また、前記左壁１５９の上部には、案内部材１９０が取り付けられている。案内部材１９０は、左壁１５９の上部から物品収容室１５０の中心に向かって下降傾斜する傾斜案内面１９１と、傾斜案内面１９１の下端に連設された垂直案内面１９２とからなる。傾斜案内面１９１は、後方に向かって下降傾斜している。
【００５８】
前記案内部材１８５の垂直案内面１８７と前記案内部材１９０の垂直案内面１９２の間には、射出管１１１の下部開口（第１の開口）１１５に向かって下降傾斜するガイド板１９５が設けられている。ガイド板１９５の下面略中央には、これと略直角の係合板１９６が設けられている。また、ガイド板１９５の下面であって、係合板１９６の接続部近傍には、左右方向に伸びる軸受け孔１９７が形成されている。このガイド板１９５と係合板１９６によって、揺動部材１９４が構成される。
【００５９】
ガイド板１９５は、前記垂直案内面１８７と前記垂直案内面１９２に設けられた支軸１９８が軸受け孔１９７に挿入されて、案内部材１８５，１９０に回動可能に取り付けられている。ガイド板１９５は、自重により反時計方向へ回転しようとするが、係合板１９６がカム７８に当接しており、反時計方向の回転が阻止されている。当該ガイド板１９５の上面と前記垂直案内面１８７及び前記垂直案内面１９２によって、物品Ｔを射出管１１１の下部開口（第１の開口）１１５に案内する案内路１９９が形成される。
【００６０】
胴体部１０３の後壁１５６には、収納口１５４が形成されている。当該収納口１５４は、後壁１５６に回動可能に取り付けられた蓋部材１５１によって開閉するようになっている。胴体部１０３の前壁１５５には、汽車玩具のフロント部１０６が取り付けられている。
【００６１】
物品取出装置１０１は、上記構成を有し、以下のように使用することができる。蓋部材１５１を後方（反時計方向）に回動して、収納口１５４を開き、収納口１５４から物品収容室１５０内に複数の物品Ｔを収納する。蓋部材１５１を前方（時計方向）に回動して、収納口１５４を閉じる。また、図６に示すように、開閉部材１４１は、押し込められており、物品取出室１３０の中間開口（第３の開口）１３２と通過開口１４５が対向しており、物品Ｔが中間開口（第３の開口）１３２、通過開口１４５、落下開口１３７を通過することができる。
【００６２】
物品Ｔは、案内部材１８５，１９０の傾斜案内面１８６，１９１によって、案内路１９９側に移動させられ、さらに案内路１９９に沿って前方に移動し、下部開口（第１の開口）１１５から射出管１１１内に１個入るようになっている。なお、射出管１１１は、内径が物品Ｔよりも僅かに大きく形成されており、内部に物品Ｔが１個しか入らないようになっている。また、物品取出装置１０１は、初期状態では、バネ部材１６８によって射出部材６０が上方に付勢され、緩衝部材６６が射出管１１１の下端に当接している。また、下部開口（第１の開口）１１５が、バネ部材１６８によって上方に付勢された射出部材６０の胴部６１によって若干塞がれており、初期状態では、射出管１１１内に物品Ｔが入らないようになっている。
【００６３】
一対の車輪（回転体）７５，７５を接地させて、物品取出装置１０１を前方に移動させると、一対の車輪（回転体）７５，７５が前方（時計回転方向）に回転し、車軸７６を介してカム７８も前方（時計回転方向）に回転する。カム７８に設けられた係合爪（係合部材）７７の係合面７９が射出部材６０に設けられた係合爪（係合片）６３の係合面６５に係合し、射出部材６０は、バネ部材１６８の弾性に抗して下方に押し下げられる。射出部材６０が下方に押し下げられると、下部開口（第１の開口）１１５が完全に開放され、物品Ｔが下部開口（第１の開口）１１５を経て、射出管１１１内に入り、射出部材６０の射出板６２上に載置される。
【００６４】
さらに、一対の車輪（回転体）７５，７５が前方（時計回転方向）に回転すると、カム７８に設けられた係合爪（係合部材）７７の係合面７９が射出部材６０に設けられた係合爪（係合片）６３の係合面６５から外れるので、射出部材６０は、バネ部材１６８の弾性
により上方に押し下げられ、射出板６２上に載置されている物品Ｔを上方に射出する。射出された物品Ｔは、上部開口（第２の開口）１３１を経て、物品取出室１３０内に入る。
【００６５】
物品取出室１３０内の移動した物品Ｔは、中間開口（第３の開口）１３２、通過開口１４５、落下開口１３７を通過して、物品収容室１５０内に落下する。このように、物品Ｔは、物品取出装置１０１の走行中、物品収容室１５０から物品射出室１１２、物品射出室１１２から物品取出室１３０、物品取出室１３０から物品収容室１５０と循環している。煙部１０５は、透明な素材で形成されているので、煙本体１２１内を通過している物品Ｔが後方に向かって移動している状態を視認することができ、あたかも煙が後方に流れていくような様子を演出することができる。また、複数の物品Ｔを同一色に統一することなく、異なる色に着色しておくことによって、興趣あるものにすることができる。
【００６６】
また、物品取出装置１０１の走行中、カム７８の係合爪（係合部材）７７がガイド板１９５の係合板１９６と係合するので、ガイド板１９５（揺動部材１９４）は、支軸１９８を中心として揺動する。ガイド板１９５上には、物品Ｔが積み重なって載置されているので、いわゆる団子状態となって下部開口（第１の開口）１１５のところで詰まってしまう場合がある。しかし、当該ガイド板１９５（揺動部材１９４）が揺動するので、物品収容室１５０内の物品Ｔ全体に押上による振動を与えることになり、この団子状態が解消され、物品Ｔの詰まりを防止して、一つ一つ物品Ｔを案内路１９９内で整列させてスムーズに射出管１１１内に送り込むことができる。
【００６７】
物品取出装置１０１を後方に移動させると、一対の車輪（回転体）７５，７５が後方（反時計回転方向）に回転し、車軸７６を介してカム７８も後方（反時計回転方向）に回転する。カム７８に設けられた係合爪（係合部材）７７の傾斜面８０が射出部材６０に設けられた係合爪（係合片）６３の傾斜面６４に係合し、射出部材６０が上方に押し上げられる。射出部材６０は、緩衝部材６６が撓められ（圧縮され）ながら、上方に押し上げられ、カム７８の傾斜面８０が射出部材６０の傾斜面６４から外れるので、射出部材６０は、緩衝部材６６の復元力により元の初期状態に復帰する。このように、物品取出装置１０１は、後方に移動させると、緩衝部材６６が、射出部材６０の係合爪（係合片）６３と射出管１１１の下端との間で撓められ（圧縮され）ながら介装されて接触を阻止するので、係合爪（係合片）６３又は射出管１１１の破損を防止することができる。
【００６８】
物品取出装置１０１は、物品Ｔを取り出す場合、開閉部材１４１を引き出せばよい。即ち、開閉部材１４１を引き出すと、物品取出室１３０の中間開口（第３の開口）１３２と開閉部材１４１の通過開口１４５が対向しなくなり、中間開口（第３の開口）１３２が閉じられ、物品Ｔが中間開口（第３の開口）１３２、通過開口１４５、落下開口１３７を通過することができなくなる。そのため、物品Ｔは、物品取出室１３０内に溜められ、取出口１４８を介して取り出すことができる。
【００６９】
物品取出装置１，１０１は、初期状態において、物品収容室５０，１５０内に収容された物品Ｔが下部開口（第１の開口）１５，１１５を介して物品射出室１２，１１２の下部に移動している。回転体（車輪）７５を回転させると係合部材（係合爪）７７も回転し、係合部材（係合爪）７７が射出部材６０と係合して、射出部材６０を弾性部材（バネ部材）６８の弾性に抗して下方に移動させ、係合部材（係合爪）７７が射出部材６０から外れると、射出部材６０が弾性部材（バネ部材）６８の弾性により上方に付勢されて移動し、物品射出室１２，１１２内の物品Ｔを上方に射出する。射出された物品Ｔは、物品射出室１２，１１２の上部に形成された上部開口（第２の開口）３１，１３１を介して物品収容室５０，１５０の上部に設けられた物品取出室３０，１３０内に移動する。物品取出装置１，１０１は、下部に設けられた物品収容室５０，１５０内の物品Ｔを、上部に設けられた物品取出室３０，１３０に射出して送り込むことができる、従来にない新規な構造で、
興趣ある物品Ｔの動きをさせることができる。
【００７０】
物品取出装置１，１０１は、物品取出室３０，１３０に物品を取り出す取出口４８，１４８が形成されているので、射出して物品取出室３０，１３０に送り込まれた物品Ｔを取り出すことができる。物品取出装置１，１０１は、物品取出室３０，１３０の下部が、中間開口（第３の開口）３２，１３２を介して物品収容室５０，１５０の上部と連通するように形成されているので、物品収容室５０，１５０から物品射出室１２，１１２、物品射出室１２，１１２から物品取出室３０，１３０、物品取出室３０，１３０から物品収容室５０，１５０へと、物品Ｔが移動することができ、物品Ｔを装置本体２，１０２内で循環させることができる。
【００７１】
物品取出装置１，１０１は、装置本体２，１０２に、前記中間開口（第３の開口）３２，１３２を開閉する開閉部材４１，１４１が設けられているので、開閉部材４１，１４１により中間開口（第３の開口）３２，１３２を開くと物品Ｔが装置本体１，１０１内で循環し、開閉部材４１，１４１により中間開口（第３の開口）３２，１３２を閉じると物品Ｔが物品取出室３０，１３０内で堰き止められ、取出口４８，１４８から物品Ｔを取り出すことができる。物品取出装置１，１０１は、物品収容室５０，１５０に、物品収容室５０，１５０の物品Ｔを物品射出室１２，１１２内に案内する案内路９９，１９９が形成されているので、物品射出室１２，１１２内に物品Ｔを確実に案内することができる。物品取出装置１，１０１は、物品収容室５０，１５０に、前記係合部材（係合爪）７７と係合して揺動する揺動部材９４，１９４が設けられているので、揺動部材９４，１９４により物品Ｔを案内路９９，１９９に整列させて下部開口（第１の開口）１５，１１５の詰まりを防止することができる。
【００７２】
物品取出装置１，１０１は、射出部材６０に、係合部材（係合爪）７７と係合する係合片（係合爪）６３が形成され、さらに緩衝部材６６が設けられているので、係合片（係合爪）６３が緩衝部材６６によって物品射出室１２，１１２に当接することがなく、従って係合片（係合爪）６３又は物品射出室１２，１１２の破損を防止することができる。物品取出装置１，１０１は、回転体７５が車輪であって、装置本体２，１０２の下面から突出して設けられているので、走行玩具として利用することができ、走行中に、物品Ｔを装置本体２，１０２内で移動させることができる。
【図面の簡単な説明】
【００７３】
【図１】本願発明に係る物品取出装置の第１の実施の形態を説明する全体図である。
【図２】図１の物品取出装置の断面図である。
【図３】図１の物品取出装置の動きを説明する断面図である。
【図４】図１の物品取出装置の動きを説明する断面図である。
【図５】本願発明に係る物品取出装置の第２の実施の形態を説明する全体図である。
【図６】図５の物品取出装置の断面図である。
【図７】図５の物品取出装置の動きを説明する側面断面図である。
【符号の説明】
【００７４】
１  物品取出装置
２  装置本体
３  下部胴体部
３ａ  左下胴体部
３ｂ  右下胴体部
５  上部胴体部
５ａ  左上胴体部
５ｂ  右上胴体部
６  フロント部
７  垂直尾翼
８  水平尾翼
９  窓部
１１  射出管
１２  物品射出室
１３  フランジ
１５  下部開口（第１の開口）
１６  突片
２１  物品取出容器
２２  底壁
２３  上壁
２５  前壁
２６  後壁
２７  右壁
２９  左壁
３０  物品取出室
３１  上部開口（第２の開口）
３２  中間開口（第３の開口）
３３  板部材
３５  脚板
３６  ガイド部材
３７  落下開口
４１  開閉部材
４２  開閉板
４３  掛止突起
４５  通過開口
４６  傾斜部
４７  取付軸
４８  取出口
４９  プロペラ
５０  物品収容室
５１  蓋部材
５１ａ  枢軸
５１ｂ  係止凹部
５２  底壁
５３  上壁
５４  収納口
５５  前壁
５６  後壁
５７  右壁
５８  切り欠き
５９  左壁
６０  射出部材
６１  胴部
６２  射出板
６３  係合爪（係合片）
６４  傾斜面
６５  係合面
６６  緩衝部材
６７  取付突起
６８  弾性部材（バネ部材）
６９  係止凹部
７１  軸受け穴
７２  ボス
７３  軸受け穴
７４  ボス
７５  車輪（回転体）
７６  車軸
７７  係合爪（係合部材）
７８  カム
７９  係合面
８０  傾斜面
８１  嵌合孔
８２  ボス
８３  嵌合穴
８４  ボス
８５  案内部材
８６  傾斜案内面
８７  垂直案内面
８９  嵌合軸
９０  案内部材
９１  傾斜案内面
９２  垂直案内面
９３  嵌合軸
９４  揺動部材
９５  ガイド板
９６  係合板
９７  軸受け孔
９８  支軸
９９  案内路
１０１  物品取出装置
１０２  装置本体
１０３  胴体部
１０５  煙部
１０６  フロント部
１１１  射出管
１１２  物品射出室
１１５  下部開口（第１の開口）
１２１  煙本体
１３０  物品取出室
１３１  上部開口（第２の開口）
１３２  中間開口（第３の開口）
１３６  ガイド部材
１３７  落下開口
１４１  開閉部材
１４５  通過開口
１４８  取出口
１５０  物品収容室
１５１  蓋部材
１５２  底壁
１５３  上壁
１５４  収納口
１５５  前壁
１５６  後壁
１５７  右壁
１５８  切り欠き
１５９  左壁
１６７  取付突起
１６８  バネ部材（弾性部材）
１７１  軸受け穴
１７３  軸受け穴
１８５  案内部材
１８６  傾斜案内面
１８７  垂直案内面
１９０  案内部材
１９１  傾斜案内面
１９２  垂直案内面
１９４  揺動部材
１９５  ガイド板
１９６  係合板
１９７  軸受け孔
１９８  支軸
１９９  案内路
Ｔ  物品
【図１】
2007015822.tif 000003
【図２】
2007015822.tif 000004
【図３】
2007015822.tif 000005
【図４】
2007015822.tif 000006
【図５】
2007015822.tif 000007
【図６】
2007015822.tif 000008
【図７】
2007015822.tif 000009